(57)【要約】      （修正有）【課題】薄くて軽量で扱いやすく、歩行や点滴台や車椅子や移動ベッド等の障害にならないバリアフリー抗菌マットを提供する。【解決手段】ベースマット１とクッション部材２と止着テープ３と抗菌シート５から構成され、ベースマット１にクッション部材２を載せ、クッション部材２の周りのベースマット１表面に止着テープ３を固定し、クッション部材２と止着テープ３の上から抗菌シート５を載せて固定したことを特徴とする。また、分数勾配が４．５／５０以下の緩い傾斜が形成された５０ｍｍ以上の幅を有する縁枠と中央部を有したベースマット１と、中央部の外周表面に設けられた着止手段４と、縁枠の内側の中央部７に載せて着止手段４で固定した抗菌シート５から構成され、最大厚みが５ｍｍ〜６ｍｍで、外端の厚みが１．５ｍｍ〜２ｍｍ以下であることを特徴とする。縁枠の四隅部分を円弧状に形成してもよい。抗菌性を有したベースマット１としてもよい。【選択図】図１
0003129582.tif 000002
【実用新案登録請求の範囲】
【請求項１】
シート状に形成された合成樹脂またはゴム製のベースマット（１）と、シート状に形成された摩擦係数が高くクッション性を有したクッション部材（２）と、裏に粘着面を形成し表に面ファスナー又は粘着面等の着止手段（３）が形成された止着テープ（４）と、履物の底の汚れと菌と臭いの元を取り除き菌の繁殖を抑え臭いの発生を防ぐ抗菌防臭防汚性を有するシート状に形成された柔軟性を有する抗菌シート（５）から構成され、
ベースマット（１）より抗菌シート（５）の縦横が短く形成され、抗菌シート（５）よりクッション部材（２）の縦横が短く形成され、
ベースマット（１）中央にクッション部材（２）を載置し、クッション部材（２）の周りのベースマット（１）表面に止着テープ（４）を裏の粘着面によって着脱自在に固定し、クッション部材（２）と止着テープ（４）の上に抗菌シート（５）を載置して止着テープ（４）の表の着止手段（３）により抗菌シート（５）が着脱自在に固定され、
ベースマット（１）は外端付近を除く底面にノンスリップ溝（６）が形成され、
クッション部材（２）は摩擦係数が高くベースマット（１）と抗菌シート（５）の間で横ずれを防止する作用を有していることを特徴とするバリアフリー抗菌マット。
【請求項２】
シート状に形成された合成樹脂またはゴム製のベースマット（１）と、シート状に形成された摩擦係数が高くクッション性を有したクッション部材（２）と、裏に粘着面を形成し表に面ファスナー又は粘着面等の着止手段（３）が形成された止着テープ（４）と、履物の底の汚れと菌と臭いの元を取り除き菌の繁殖を抑え臭いの発生を防ぐ抗菌防臭防汚性を有するシート状に形成された柔軟性を有する抗菌シート（５）から構成され、
ベースマット（１）より抗菌シート（５）の縦横が短く形成され、抗菌シート（５）よりクッション部材（２）の縦横が短く形成され、
ベースマット（１）中央にクッション部材（２）を載置し、クッション部材（２）の周縁をベースマット（１）表面に止着テープ（４）の裏の粘着面によって着脱自在に固定し、クッション部材（２）と止着テープ（４）の上に抗菌シート（５）を載置して止着テープ（４）の表の着止手段（３）により抗菌シート（５）が着脱自在に固定され、
ベースマット（１）は外端付近を除く底面にノンスリップ溝（６）が形成され、
クッション部材（２）は摩擦係数が高くベースマット（１）と抗菌シート（５）の間で横ずれを防止する作用を有していることを特徴とするバリアフリー抗菌マット。
【請求項３】
シート状に形成された中央部（７）の四方に外向斜面を有した縁枠（８）が形成された合成樹脂またはゴム製のベースマット（１）と、中央部（７）の四辺に設けられた面ファスナー等の着止手段（３）と、中央部（７）とほぼ同形同面積に形成された抗菌シート（５）から構成され、
縁枠（８）の内側の着止手段（３）と中央部（７）の上に抗菌シート（５）を載置して着止手段（３）により抗菌シート（５）が着脱自在に固定され、
縁枠（８）の外端付近と内端付近を除く外向斜面とベースマット（１）の外端付近を除く底面とにそれぞれノンスリップ溝（６）を形成し、
縁枠（８）外端の厚みが１．５ｍｍ〜２ｍｍ以下、縁枠（８）内端の底面から上面までの厚みが５ｍｍ〜６ｍｍ、縁枠（８）の内端から外端までの幅が５０ｍｍ以上、外向斜面の傾斜の分数勾配は４．５／５０以下、
抗菌シート（５）の厚みが３．５ｍｍ〜４ｍｍで柔軟性と履物の底の汚れと菌と臭いの元を取り除き菌の繁殖を抑え臭いの発生を防ぐ抗菌防臭防汚性を有し、
ベースマット（１）の中央部（７）と抗菌シート（５）が重なった厚みが５ｍｍ〜６ｍｍであることを特徴とするバリアフリー抗菌マット。
【請求項４】
ベースマット（１）の縁枠（８）の四隅部分を円弧状に形成し、該四隅部分の外端の厚みが１．５ｍｍ〜２ｍｍ以下であることを特徴とする請求項１、２または３記載のバリアフリー抗菌マット。
【請求項５】
ベースマット（１）が抗菌性を有していることを特徴とする請求項１、２、３または４記載のバリアフリー抗菌マット。
【考案の詳細な説明】
【技術分野】
【０００１】
本考案は、出入り口などに置いて履物の裏に付着した汚れと菌と臭いの元を取り除き菌の繁殖を抑え臭いの発生を防止するマットであり、病院等の医療施設や老人ホーム等の介護・養護施設などにおいても安全に使用することができ、大変薄く軽量で扱いやすく、薄くて軽量で扱いやすく、シート交換が簡単な、歩行や点滴台や車椅子や移動ベッド等の障害にならないバリアフリー抗菌マットに関するものである。
【背景技術】
【０００２】
従来の一般的なマットの構造は、たとえば、特開平０７−０８８０７５号公報「玄関マット」（特許文献１）に記載されたものに代表される。ゴム材料で形成されたマット受け皿１２の皿の内側にループ状合成繊維であるマット本体１４を入れた構造である。マット受け皿１２の材料はゴム以外にも合成樹脂等が使われる場合もある。マット本体１４の材料はループ状合成繊維以外にもフェルトや不織布等が使われる場合もある。添付した図１３は、この種のマットの断面構造をあらわしたものである。図中２１はマット受け皿であり、図中２２はマット本体である。マット本体２２が入る部分の周りに壁が形成され、マット本体２２の外側の枠部分ではマット受け皿２１が分厚く形成されている。ある程度使用すると汚れがひどくなるので、マットをクリーニングして汚れを落とすことで使用を継続することができる。汚れはクリーニングすればある程度復元できるが、マット本体２２の抗菌作用が低下した場合はマット受け皿２１の中から取り出して新しいマット本体２２と交換することができる。従来のマットは、最も薄いタイプのものでも、マット本体２２の厚さが略６ｍｍ、マット受け皿２１の縁枠の外端部分の厚さが略２ｍｍ、マット受け皿２１とマット本体２２が一緒の部分の厚さが略９ｍｍ（図１３参照。）。マットの中でもこれはかなり薄いほうである。マット受け皿２１の縁に傾斜を持たせることが普通であり、上記の例では、縁枠の幅が略２５ｍｍ、斜面の段差は略５ｍｍ、分数勾配は約１／５である。斜面はフラットに形成されている。添付の図１４は、従来のマット受け皿２１の平面図である。縁枠の四隅は直角を形成している。マット本体２２を装着するマット受け皿２１の凹底の部分は中央付近に面ファスナー２３を設けてマット本体２２がずれるのを防止している。図示しないが、マット本体２２が設置面からずれにくくするために底面全面に突起を形成することがある。
【特許文献１】特開平０７−０８８０７５号公報
【考案の開示】
【考案が解決しようとする課題】
【０００３】
上記したマット受け皿とマット本体から成る従来のマットは、薄くすることができなかった。マット受け皿の枠部分はマット本体をホールドし側面を保護するために、ある程度の厚みが絶対に必要であり、マット本体はマット受け皿のトップよりもある程度高くしなければならないため、やはりある程度の厚みは絶対になければならない。マット本体のトップの高さが受け皿よりも低くては、履物の裏にマット本体を接触させることができなくなる。マット本体の保持と保護のためにマット受け皿はゴムなどある程度硬い材質でできている。床とマット受け皿との段差は７ｍｍ以上あり枠の斜面が急勾配なので、バリアフリーの観点から障害物とみなされ使用が許可されない場合があった。医療施設や介護施設では、院内感染の予防等、衛生上の必要性は感じながらも、抗菌マットの導入に踏み切れないというのが現状である。病院の玄関、病室の出入り口、手術室の出入り口、集中治療室の出入り口、トイレの出入り口、汚物処理場の出入り口など、菌の侵入を防ぎ施設内の衛生と清潔を保つために抗菌マットが必要とされる場所はあっても、最大の障害であるバリアフリーの問題をクリアできないために設置は見送られてきている。救急で搬送してきたベッドが従来のマットに衝突すれば患者に大きな衝撃を与えてしまうことになるし、急いで走っていた健康な人間が施設内でマットに引掛って転倒する危険性まである。かといって不衛生状態をこのまま放置しておくことはできない。また、導入コストや人件コストの面で、厚手のマット受け皿やマット本体はコストが高くまた重いため、クリーニングや交換作業が面倒という理由で設置が控えられるケースもある。
【０００４】
歩行者がマット上を通過する場合の問題点を列挙する。まず手前にあるマット受け皿の外端の高さはそのまま垂直段差として考えられる。従来のマットの外端は２ｍｍ以上あるため、スリッパや靴のつま先が十分引掛かる可能性がある。マット受け皿の厚みと硬さは、足や杖が引掛かり躓き転倒する原因となる。体力が弱った病人や老人等の身体弱者はつま先が上がらず、２ｍｍ〜３ｍｍの垂直段差があれば躓く場合がある。衝突の衝撃で骨折する場合もある。マット受け皿に足を引掛けたときの衝撃はかなり大きい。つぎに手前にある枠の斜面は略２５ｍｍの短い幅で高低差が略５ｍｍの急勾配（分数勾配１／５。）になっているため、前に運んだ足が枠で急ブレーキがかかる。歩行者はマット本体を踏むつもりでいても実際はその手前の縁枠斜面で急に足が止ってしまう。しかもこの時、歩行者の足の角度が急に上に上がるため、体のバランスが崩れやすくなる。従来のマットでは縁枠の斜面につまずくことが起こりえる。つぎにつま先が縁枠を越える直前に２ｍｍほど突き出ているマット本体の端に引掛かる。またマット本体の四隅の角が引掛けられているうちに徐々に反ってくると益々引掛かりやすくなり、ついには引掛けた勢いでめくれてしまうことがある。つぎに奥になっている枠の斜面は略２５ｍｍの短い幅で高低差が略５ｍｍの急勾配になっているため非常に滑りやすく、斜面に着地した踵が滑って転倒する危険がある。マット受け皿の四隅は直角にせり出して角を形成しているので、角に足がつまずく危険がある。
【０００５】
車輪付きの点滴台や車椅子やベッドがマット上を通過する場合の問題点を列挙する。車輪はまずマット受け皿の手前にある外端に最初に接触し、外端は高さが２ｍｍ程あるため、タイヤが外端に当たって乗り上げる際にバンという音とともに衝撃を受ける。縁枠の外端に当たった車輪はつぎに略２５ｍｍの短い幅で高低差が略５ｍｍの急勾配になっている厚さ略７ｍｍの縁枠の斜面から衝撃を受ける。患者が載ったベッドや車椅子や患者が押している点滴台などかなりの重量が車輪には加わっており、その車輪が、略７ｍｍの厚みと１／５の急勾配を有した従来のマット受け皿の縁枠に当たるとかなり大きな衝撃があり、大抵は一旦その場で停止してしまう。上記した縁枠の外端と斜面の２つの衝撃は連続して起こる。ベッドで患者を急いで移動させる場合など、患者に無用な衝撃を与えるし、衝撃を避けるためには一旦止らねばならず時間のロスが大きい。不安定な点滴台などは衝撃で転倒する恐れがある。マット本体部分まであがるためには、車輪を略９ｍｍ以上持上げて運ぶか、急な斜面を押上げるかしなければならない。マットの縁の斜面を体力の弱った患者が点滴台の車輪を押し上げたり車椅子で乗り越えたりすることはできないし、危険である。つぎに縁枠から車輪が降りるときも軽い衝撃がある。つぎに車輪が縁枠の上を直進したり縁枠に対して鋭角に侵入したりした場合、急勾配の斜面で車輪がスリップし横滑りしたり撥ね返されたりする危険がある。マット受け皿の四隅は直角にせり出して角を形成しているので、角に車輪が当たると強い衝撃を受けることになり、点滴台等がバランスを崩す危険性もある。
【０００６】
ずれ防止のためマット受け皿に設けられた面ファスナーは、マット本体の上から足や車輪に踏みつけられるため、痛みが早く耐用期間が短い。面ファスナーの接着作用が低下するとマット本体のずれを防止できなくなる。
【０００７】
抗菌作用があるのはマット本体部分だけであり、マット受け皿の枠部分には抗菌作用はないため、足がマット受け皿の縁部分を踏んだ場合、汚れや菌や臭いは素通りしてしまう。
【０００８】
マットの上を靴やスリッパで立ったり歩いたりしたときの踏み心地はマットの良し悪しを判断する上で重要な要素となる。従来のマットは縁の急な傾斜や大きな段差があることから、マットを踏むと障害物と感じられた。また、固いマット受け皿にのった柔らかくて反発力のないマット本体を踏むと、マット本体は抵抗なく単に潰れるため、足の裏には固いマット受け皿を踏んでいる感触が伝わり、踏み心地がよくなかった。
【０００９】
本考案は、上記の問題点を解決したバリアフリー抗菌マットを提供することを目的とする。
【課題を解決するための手段】
【００１０】
請求項１に記載された本考案のバリアフリー抗菌マットは、シート状に形成された合成樹脂またはゴム製のベースマットと、シート状に形成された摩擦係数が高くクッション性を有したクッション部材と、裏に粘着面を形成し表に面ファスナー又は粘着面等の着止手段が形成された止着テープと、履物の底の汚れと菌と臭いの元を取り除き菌の繁殖を抑え臭いの発生を防ぐ抗菌防臭防汚性を有するシート状に形成された柔軟性を有する抗菌シートから構成され、
ベースマットより抗菌シートの縦横が短く形成され、抗菌シートよりクッション部材の縦横が短く形成され、
ベースマット中央にクッション部材を載置し、クッション部材の周りのベースマット表面に止着テープを裏の粘着面によって着脱自在に固定し、クッション部材と止着テープの上に抗菌シートを載置して止着テープの表の着止手段により抗菌シートが着脱自在に固定され、
ベースマットは外端付近を除く底面にノンスリップ溝が形成され、
クッション部材は摩擦係数が高くベースマットと抗菌シートの間で横ずれを防止する作用を有していることを特徴ことを特徴とする。
【００１１】
請求項２の本考案は、シート状に形成された合成樹脂またはゴム製のベースマットと、シート状に形成された摩擦係数が高くクッション性を有したクッション部材と、裏に粘着面を形成し表に面ファスナー又は粘着面等の着止手段が形成された止着テープと、履物の底の汚れと菌と臭いの元を取り除き菌の繁殖を抑え臭いの発生を防ぐ抗菌防臭防汚性を有するシート状に形成された柔軟性を有する抗菌シートから構成され、
ベースマットより抗菌シートの縦横が短く形成され、抗菌シートよりクッション部材の縦横が短く形成され、
ベースマット中央にクッション部材を載置し、クッション部材の周縁をベースマット表面に止着テープの裏の粘着面によって着脱自在に固定し、クッション部材と止着テープの上に抗菌シートを載置して止着テープの表の着止手段により抗菌シートが着脱自在に固定され、
ベースマットは外端付近を除く底面にノンスリップ溝が形成され、
クッション部材は摩擦係数が高くベースマットと抗菌シートの間で横ずれを防止する作用を有していることを特徴とするバリアフリー抗菌マット。
【００１２】
請求項３の本考案は、シート状に形成された中央部の四方に外向斜面を有した縁枠 が形成された合成樹脂またはゴム製のベースマットと、中央部の四辺に設けられた面ファスナー等の着止手段と、中央部とほぼ同形同面積に形成された抗菌シートから構成され、
縁枠の内側の着止手段と中央部の上に抗菌シートを載置して着止手段により抗菌シートが着脱自在に固定され、
縁枠の外端付近と内端付近を除く外向斜面とベースマットの外端付近を除く底面とにそれぞれノンスリップ溝を形成し、
縁枠外端の厚みが１．５ｍｍ〜２ｍｍ以下、縁枠内端の底面から上面までの厚みが５ｍｍ〜６ｍｍ、縁枠の内端から外端までの幅が５０ｍｍ以上、外向斜面の傾斜の分数勾配は４．５／５０以下、
抗菌シートの厚みが３．５ｍｍ〜４ｍｍで柔軟性と履物の底の汚れと菌と臭いの元を取り除き菌の繁殖を抑え臭いの発生を防ぐ抗菌防臭防汚性を有し、
ベースマットの中央部と抗菌シートが重なった厚みが５ｍｍ〜６ｍｍであることを特徴とする。
【００１３】
請求項４の本考案は、請求項１、２または３に記載されたバリアフリー抗菌マットにおいて、ベースマットの縁枠の四隅部分を円弧状に形成し、該四隅部分の外端の厚みが１．５ｍｍ〜２ｍｍ以下であることを特徴とする。
【００１４】
請求項５の本考案は、請求項１、２、３または４に記載されたバリアフリー抗菌マットにおいて、ベースマットが抗菌性を有していることを特徴とする。
【考案の効果】
【００１５】
上記した請求項１に係わる本考案のバリアフリー抗菌マットによれば、まずクッション部材をベースマットの中央に置き、つぎに粘着面を裏面に有した止着テープでクッション部材の周りのベースマット表面に粘着固定させ、最後に抗菌シートを止着テープの表面の着止手段に固定させるだけで、非常に簡単に製作することができる。薄くて軽いので持ち運びが楽であり、床や通路等に置いて簡単に設置することができる。
ベースマットに縁枠がないため、縁枠で躓きくことはない。ベースマットに載っているクッション部材と抗菌シートを重ねた部分は柔軟性があるため足も車輪も衝撃なくスムーズに通過できて安全である。
ベースマットの裏面にはノンスリップ溝が形成されているのでマットが滑って移動することはない。高い摩擦係数を有したクッション部材はノンスリップ性に優れているためベースマットの上で横ずれしない。ノンスリップ性の高いクッション部材の表面にある抗菌シートも横ずれしない。クッション部材には衝撃を吸収する性質があり、車輪付きの点滴台や車椅子やベッドがマット上を通過してもほとんど衝撃がない。それらの車輪がベースマット１の外周部分に当たっても縁枠がないため衝撃がなく、外向斜面がないため車輪を押し上げる力が不要であり、クッション部材と抗菌シートを通過しても加重で一時的に押し潰されるのでほとんど段差が消えてしまい衝撃はない。このため点滴台や車椅子やベッドは何の障害もなく容易にマット上を通過することができる。安全性の極めて高いバリアフリーが実現されているため、病院等の医療施設や老人ホーム等の介養護施設でも、安心して抗菌マットを導入することができるようになる。病院の玄関、病室の出入り口、手術室の出入り口、集中治療室の出入り口、トイレの出入り口などに設置して、菌の侵入を防ぎ施設内の清潔を保つことができる。また、導入コストや人件コストの面で、薄い抗菌シートはコストが安くまた軽量なため、持ち運びや交換作業が非常に楽にできる。おそらく世界一薄い構造をしたマットということができる。足が引掛かかることがなく、足や車輪が触れたとしても衝撃がなく、躓きを起こす危険がない。世界初のバリアフリー抗菌マットである。
トイレの出入り口にマットを設置した場合、トイレの汚れや菌を施設内に拡散させることを防止でき、汚れたら抗菌シートだけをテープから剥離して新しい抗菌シートをテープに固定するだけで簡単に交換が可能である。抗菌シートにかかるコストは非常に安価である。抗菌シートを洗って再利用することも可能であり、薄い抗菌シートの洗浄作業は比較的簡単である。但し、病院介養護施設等では菌感染予防のため焼却となる。
抗菌シートの周縁はテープの表面に固定されており、また、薄い抗菌シートは長期使用したとしても変形しないので、端部のめくれ上がり現象を起こさない。
マット全体の表面を抗菌シートが覆っているので、足がマットのどの部分を踏んだとしても満遍無く抗菌防臭防汚作用があるため、汚れや菌や臭いの通過を確実に防止することができる。
クッション部材と抗菌シートの両方にクッション性があるため非常に柔軟性があり、薄くしても抗菌シートを履物の裏の全面に密着させて抗菌防臭防汚性能を最大限に発揮させることができる。抗菌マットの上を歩くと、体重でクッション部材と抗菌シートが押し潰されて段差がなくなることとクッション性があることにより、非常に歩きやすい。
縁枠の傾斜がなく床とマットの段差が小さいため、踏んで歩いても障害物という感じがほとんどしない。薄いベースマットと柔らかくて反発力のない抗菌シートに挟まれたクッション部材が、歩行時の縦の衝撃や横方向の力を吸収するため、大変歩き心地がいい。マットの上に足を載せると、柔軟性を有した抗菌シートは抵抗なく簡単に潰れるが、反発力のあるクッション部材が足の荷重を適度に吸収するため、非常に踏み心地がいい。また、クッション部材と抗菌シートが押し潰されると床との段差が短くなるため、ほとんど床と同じ感覚で歩くことができる。
マットの耐用期間は着止手段の耐久性にかかっている。着止手段がいよいよだめになった時は、テープを貼りかえるだけで簡単に修繕できるため、半永久的に使用することができる。
【００１６】
上記した請求項２に係わる本考案のバリアフリー抗菌マットによれば、まずクッション部材をベースマットの中央に置き、つぎに粘着面を裏面に有した止着テープでクッション部材の周縁をベースマット表面に粘着固定させ、最後に抗菌シートを止着テープの表面の着止手段に固定させるだけで、非常に簡単に製作することができる。薄くて軽いので持ち運びが楽であり、床や通路等に置いて簡単に設置することができる。
ベースマットに縁枠がないため、縁枠で躓きくことはない。ベースマットに載っているクッション部材と抗菌シートを重ねた部分は柔軟性があるため足も車輪も衝撃なくスムーズに通過できて安全である。
ベースマットの裏面にはノンスリップ溝が形成されているのでマットが滑って移動することはない。クッション部材の周縁は止着テープで固定され、高い摩擦係数を有しノンスリップ性に優れているためベースマットの上で横ずれしない。ノンスリップ性の高いクッション部材の表面にある抗菌シートも横ずれしない。クッション部材には衝撃を吸収する性質があり、車輪付きの点滴台や車椅子やベッドがマット上を通過してもほとんど衝撃がない。それらの車輪がベースマットの外周部分に当たっても縁枠がないため衝撃がなく、外向斜面がないため車輪を押し上げる力が不要であり、クッション部材と抗菌シートを通過しても加重で一時的に押し潰されるのでほとんど段差が消えてしまい衝撃はない。このため点滴台や車椅子やベッドは何の障害もなく容易にマット上を通過することができる。安全性の極めて高いバリアフリーが実現されているため、病院等の医療施設や老人ホーム等の介養護施設でも、安心して抗菌マットを導入することができるようになる。病院の玄関、病室の出入り口、手術室の出入り口、集中治療室の出入り口、トイレの出入り口などに設置して、菌の侵入を防ぎ施設内の清潔を保つことができる。また、導入コストや人件コストの面で、薄い抗菌シートはコストが安くまた軽量なため、持ち運びや交換作業が非常に楽にできる。おそらく世界一薄い構造をしたマットということができる。足が引掛かかることがなく、足や車輪が触れたとしても衝撃がなく、躓きを起こす危険がない。世界初のバリアフリー抗菌マットである。
トイレの出入り口にマットを設置した場合、トイレの汚れや菌を施設内に拡散させることを防止でき、汚れたら抗菌シートだけをテープから剥離して新しい抗菌シートをテープに固定するだけで簡単に交換が可能である。抗菌シートにかかるコストは非常に安価である。抗菌シートを洗って再利用することも可能であり、薄い抗菌シートの洗浄作業は比較的簡単である。但し、病院介養護施設等では菌感染予防のため焼却となる。
抗菌シートの周縁はテープの表面に固定されており、また、薄い抗菌シートは長期使用したとしても変形しないので、端部のめくれ上がり現象を起こさない。
マット全体の表面を抗菌シートが覆っているので、足がマットのどの部分を踏んだとしても満遍無く抗菌防臭防汚作用があるため、汚れや菌や臭いの通過を確実に防止することができる。
クッション部材と抗菌シートの両方にクッション性があるため非常に柔軟性があり、薄くしても抗菌シートを履物の裏の全面に密着させて抗菌防臭防汚性能を最大限に発揮させることができる。抗菌マットの上を歩くと、体重でクッション部材と抗菌シートが押し潰されて段差がなくなることとクッション性があることにより、非常に歩きやすい。
縁枠の傾斜がなく床とマットの段差が小さいため、踏んで歩いても障害物という感じがほとんどしない。薄いベースマットと柔らかくて反発力のない抗菌シートに挟まれたクッション部材が、歩行時の縦の衝撃や横方向の力を吸収するため、大変歩き心地がいい。マットの上に足を載せると、柔軟性を有した抗菌シートは抵抗なく簡単に潰れるが、反発力のあるクッション部材が足の荷重を適度に吸収するため、非常に踏み心地がいい。また、クッション部材と抗菌シートが押し潰されると床との段差が短くなるため、ほとんど床と同じ感覚で歩くことができる。
マットの耐用期間は着止手段の耐久性にかかっている。着止手段の内側はクッション部材の上に固定されるため、傷みが幾分緩和されその分耐久期間が延びる。着止手段がいよいよだめになった時は、テープを貼りかえるだけで簡単に修繕できるため、半永久的に使用することができる。
【００１７】
上記した請求項３に係わる本考案のバリアフリー抗菌マットによれば、バリアフリー抗菌マットの厚みを５ｍｍ〜６ｍｍにすることができ、従来と比べて非常に薄くできる。ベースマットの外端の厚みは１．５ｍｍ〜２ｍｍ以下で非常に薄いため躓くことはない。中央部に載っている抗菌シートを重ねた部分は柔軟性があるため足も車輪も衝撃なくスムーズに通過できて安全である。
ベースマットの底面はフラットである分厚みが抑えられており、底面に形成されたノンスリップ溝の働きで横ずれが防止できる。床と縁枠の段差は約５ｍｍ〜６ｍｍであるが縁枠の幅が５０ｍｍ以上と長く外向斜面の勾配が非常に小さいため、足も車輪も通過しやすくバリアフリーを実現することができる。医療施設や介護施設や学校などでも、感染予防等の衛生管理が可能となる。また、導入コストや人件コストの面で、薄いバリアフリー抗菌マットはコストが安く、軽量であるため持ち運びやクリーニングや交換作業が非常に楽にできる。
また、歩行者がマット上を通過する場合、まず手前にあるベースマットの外端の高さが１．５ｍｍ〜２ｍｍ以下しかないので、スリッパや靴のつま先は引掛かからない。つぎに手前にある縁枠の斜面は幅が略５０ｍｍ以上と非常に長く緩やかな勾配になっているため、普通に床を歩いているのとほとんど変わらない感覚で歩くことができ、体のバランスが崩れることはない。外向斜面の分数勾配は４．５／５０以下である。これほど緩い勾配になると誰も躓かなくなる。抗菌シートの外周は着止手段に固定されているため、浮いたりめくれたりする恐れはない。つぎに奥側になっている枠の斜面は高低差が３．５ｍｍ〜４．５ｍｍで幅が５０ｍｍ以上と非常に緩やかな勾配になっており、しかも、ノンスリップ溝が形成されているので、足がスリップするのを完全に防止できる構造となっている。
また、車輪付きの点滴台や車椅子やベッドがマット上を通過する場合、まず手前にある縁枠８の外端は厚さが１．５ｍｍ〜２ｍｍ以下であるため車輪が通過する上でなんの障害もない。つぎに手前にある縁枠の外向斜面は非常に緩やかな勾配になっているため、軽い力で容易に越えることができ、力の弱い人にとっても通行の障害にはならない。回転する車輪は衝撃もなしに縁枠外端から勾配の緩い外向斜面をスムーズに上ることができる。つぎに縁枠から車輪が降りる場合、勾配が小さいことと縁枠外端の厚さが１．５ｍｍ〜２ｍｍ以下であるためまったく衝撃がない。つぎに車輪が縁枠の上を直進したり縁枠に対して鋭角に侵入したりした場合、斜面の勾配が緩やかでその上ノンスリップ溝が形成されているため、車輪はスリップや横滑りや撥ね返りをおこす心配がない。ノンスリップ溝を、外向斜面の少なくとも外端付近と内端付近には形成せず、ベースマットの少なくとも外端付近にも形成しないのは、ベースマットの外端の強度低下を防ぐためである。
また、中央部の全周縁部に設けられた面ファスナー等の着止手段で、抗菌シートを着脱自在に装着できる。面ファスナー等の着止手段により抗菌シートの全周縁部が着止されるので、抗菌シートの端が浮いたりめくれたり剥がれたりせず、確実にベースマットに装着することができる。面ファスナー等の着止手段は、縁枠によってガードされる位置にあるため、抗菌シートの上から足や車輪で直接踏みつけられずにすむため、着止手段の効果が長期に持続し、耐用期間が長い。
床と縁枠外端の段差が小さくて縁枠の傾斜が小さいため、歩いても足に感じる違和感がほとんどない。
【００１８】
上記した請求項４に係わる本考案のバリアフリー抗菌マットによれば、縁枠の四隅部分が円弧状であるため、四隅の角が消え、角がなくなった分引っ込むので、足や車輪が当たりにくくなる。たとえ四隅部分を歩いても車輪が走行しても、外端の厚みが１．５ｍｍ〜２ｍｍ以下であるため、足が引っ掛かることも車輪が衝突することもない。四隅の形状が円弧状なので、角に引っ掛かってめくれるようなことにはならない。四隅が直角であれば角の先端は強度的に最も弱い場所となってしまうが、円弧状に形成することで四隅の強度を他の縁枠部分と同じ程度にまで高めることができる。
【００１９】
上記した請求項５に係わる本考案のバリアフリー抗菌マットによれば、抗菌シートだけでなくベースマットも抗菌性を有しているので、足や車輪がマットのどの部分を踏んだとしても、抗菌作用で汚れや菌や臭いの通過を確実に防止することができる。
【考案を実施するための最良の形態】
【００２０】
以下、本考案の実施の形態を図面に基づいて説明するが、本考案がこれにのみ限定されるべきでないことはいうまでもない。
【００２１】
図１〜図６は縁枠のないバリアフリー抗菌マットをあらわす。図１は本考案のバリアフリー抗菌マットの組み立て設置作業手順をあらわしている。まず、四角いシート状に形成されたクッション部材２を同じく四角いシート状に形成されたベースマット１の上面に載置する。クッション部材２はベースマット１よりも縦横が短いので、ベースマット１の中央に載せる。基本的にはフラットであるベースマット１の底面に、少なくとも外端付近を除いてノンスリップ溝６が形成されている（図１０、図１２参照。）。外端付近にノンスリップ溝６を形成しないのはベースマット１外端の強度を維持するためで、もしも端までノンスリップ溝６を形成した場合は強度を損ねてしまう。底面のノンスリップ溝６は、横滑りを防止するためのものである。クッション部材２は高い摩擦係数を有する材料で形成されている。クッション部材２は摩擦係数が高いためベースマット１に載置するだけで横滑りは起きないが、クッション部材２の裏面に粘着面を形成してベースマット１に固定してしまうことも可能である。クッション部材２の材質は限定しないが、ＰＥ、ゴムスポンジ、ウレタン、アクリル樹脂等を用いることができる。摩擦を高め且つ抗菌シート５を固定するためと通気性をよくするために、メッシュ成型が加えられたクッション部材２であってもよい。つぎに、裏面に粘着面を有し表面に面ファスナー等の着止手段３を有した止着テープ４の裏の粘着面をベースマット１の表面に着脱自在に固定する。止着テープ４の裏面は、クッション部材２には貼らずにクッション部材２の周りのベースマット１表面に固定する（図５参照）。または、止着テープ４の裏面でクッション部材２の周縁とベースマット１表面を一緒に固定する（図６参照）。そして最後に、止着テープ４の外周とほぼ同じかやや大き目の抗菌シート５を、クッション部材２と止着テープ４の上に載せ、抗菌シート５の全周の裏面を止着テープ４に着脱自在に固定する。抗菌シート５の縦横の大きさはベースマット１より短い。止着テープ４の表面の着止手段を粘着面としてもよい。抗菌シート５は、柔軟性があり、菌の繁殖を抑え臭いの発生を防ぎ汚れを落とす抗菌防臭防汚性を具えている。抗菌シート５の材質は限定しないが、抗菌性を有した特殊繊維を用いてもよいし、抗菌剤を浸漬させた布を用いてもよい。ベースマット１はゴム製または合成樹脂製である。抗菌性を有したベースマット１を用いることでマット全体の抗菌性を高めることもできる。ベースマット１の四隅は、角のままでもよいが（図１、図２、図１０参照。）、円弧状にすることで人や車輪が通過するときの衝撃を軽減させ角の引っ掛かりやめくれをなくすことができる（図３、図１２参照。）。
図２、図３、図４、図５、図６は、設置された状態のバリアフリー抗菌マットをあらわしている。マットの表面には図２に示すように抗菌シート５とベースマット１の外側だけが見えている。マットの内部構造を縁から内側へ順に見ると、図５の場合は外側はベースマット１、その内側にはベースマット１と止着テープ４と抗菌シート５が重なり、その内側にはベースマット１とクッション部材２と抗菌シート５が重なっている。図６の場合、マットの内部構造を縁から内側へ順に見ると、外側はベースマット１、その内側にはベースマット１と止着テープ４と抗菌シート５が重なり、その内側にはベースマット１とクッション部材２と止着テープ４と抗菌シート５が重なり、その内側にはベースマット１とクッション部材２と抗菌シート５が重なっている。
抗菌シート５の交換は、着止手段３から外して新しい抗菌シート５と取り替えるだけである。汚れた抗菌シート５は焼却処分が基本であるが、クリーニングをして再使用することも可能である。止着テープ４の性能が低下した場合は、ベースマット１から剥がして新しい止着テープ４と取り替えるだけである。
【００２２】
図７〜図１２は縁枠８を有したバリアフリー抗菌マットの一実施形態である。図中５は、履物の汚れと菌と臭いの元を取り除き菌の繁殖を抑え臭いの発生を防ぐ抗菌防臭防汚性と柔軟性を有する四角いシート状に形成された抗菌シートである。抗菌シート５の材質は限定しないが、抗菌性を有した特殊繊維を用いてもよいし、抗菌剤を浸漬させた布を用いてもよい。図中１は、中央に前記した抗菌シート５とほぼ同形同容積の中央部７を形成し、該中央部７の周囲に外向きの斜面を有した縁枠８が形成された四角いベースマットである。ベースマット１の材質は限定しないが、抗菌性とすることが可能である。外向斜面には、少なくとも外端付近と内端付近を除いた部分にノンスリップ溝６が形成されている。ノンスリップ溝６を部分的に形成しないのは、ベースマット１の縁枠８の外端と内端の強度を維持するためで、もしも端までノンスリップ溝６を形成した場合は強度が損なわれる。本実施形態ではノンスリップ溝６を形成しない場所をそれぞれ略４ｍｍ幅確保している。外向斜面のノンスリップ溝６は、履物や車輪のスリップを防止するためのものである。基本的にはフラットであるベースマット１の底面にも、少なくとも外端付近を除いてノンスリップ溝６が形成されている。これもベースマット１外端の強度を維持するためで、もしも端までノンスリップ溝６を形成した場合は強度を損ねてしまう。底面のノンスリップ溝６は、横滑りを防止するためのものである。本考案における縁枠８の外端の厚みは１．５ｍｍ〜２ｍｍ以下。本考案における縁枠８の内端の底から上面までの厚みは５ｍｍ〜６ｍｍ。本考案における縁枠８の幅は略５０ｍｍ以上、本実施形態では１００ｍｍとした。本考案における外向斜面の分数勾配は４．５／５０以下、本実施形態では４／１００（２／５０。）と非常に緩い勾配となっている。ベースマット１の四隅は、角のままでもよいが（図９、図１０参照。）、円弧状にすることで人や車輪が通過するときの衝撃を軽減させ角の引っ掛かりやめくれをなくすことができる（図１１、図１２参照。）。円弧状である四隅部分外端の厚みは１．５〜２ｍｍ以下、本実施形態では１．５ｍｍとした。中央部７の外周上面には面ファスナー等の着止手段３が設けられ、抗菌シート５を着脱自在に装着することができる。着止手段３を面ファスナーに限定しないが、本実施形態では着止手段３として面ファスナーを用いた。着止手段３を設ける最適な場所は、縁枠によって着止手段３を保護することのできる、中央部７の全周縁部である。中央部７の全周縁部には面ファスナー等の着止手段３を設け、中央部７の着止手段３で囲まれた場所には、抗菌シート５の横ずれを防止するためのノンスリップ手段を設けてもよい。マットが汚れたら抗菌シート５のみを交換する。抗菌シート５は使い捨てで汚れたら焼却処分が基本であるが、クリーニングをして再使用することも可能である。本考案における抗菌シート５の厚みは３．５ｍｍ〜４ｍｍ、本実施形態では４ｍｍとした。
【図面の簡単な説明】
【００２３】
【図１】縁枠なしバリアフリー抗菌マットの構造を示す説明図。
【００２４】
【図２】縁枠なしバリアフリー抗菌マットの構造を示す平面図。
【００２５】
【図３】四隅を円弧状に形成した縁枠なしバリアフリー抗菌マットの構造を示す平面図。
【００２６】
【図４】縁枠なしバリアフリー抗菌マットを示す部分拡大側面図。
【００２７】
【図５】縁枠なしバリアフリー抗菌マットを示す部分拡大側面断面図。
【００２８】
【図６】縁枠付バリアフリー抗菌マットを示す部分拡大側面断面図。
【００２９】
【図７】縁枠付バリアフリー抗菌マットの断面図。
【００３０】
【図８】縁枠付バリアフリー抗菌マットの部分拡大断面図。
【００３１】
【図９】縁枠付バリアフリー抗菌マットの構造を示す平面図。
【００３２】
【図１０】バリアフリー抗菌マットの底面図。
【００３３】
【図１１】四隅を円弧状に形成した縁枠付バリアフリー抗菌マットの構造を示す平面図。
【００３４】
【図１２】四隅を円弧状に形成したバリアフリー抗菌マットの底面図。
【００３５】
【図１３】従来マットの部分拡大断面図。
【００３６】
【図１４】従来マットのマット受け皿の平面図。
【符号の説明】
【００３７】
１    ベースマット
２    クッション部材
３    着止手段
４    止着テープ
５    抗菌シート
６    ノンスリップ溝
７    中央部
８    縁枠
【図１】
0003129582.tif 000003
【図２】
0003129582.tif 000004
【図３】
0003129582.tif 000005
【図４】
0003129582.tif 000006
【図５】
0003129582.tif 000007
【図６】
0003129582.tif 000008
【図７】
0003129582.tif 000009
【図８】
0003129582.tif 000010
【図９】
0003129582.tif 000011
【図１０】
0003129582.tif 000012
【図１１】
0003129582.tif 000013
【図１２】
0003129582.tif 000014
【図１３】
0003129582.tif 000015
【図１４】
0003129582.tif 000016